(57)【要約】【課題】品種を少なく抑えつつ、多様化した設置形態に対応することが容易な壁固定金具、配管カバーユニットおよび温水装置ユニットを提供する。【解決手段】壁固定金具１０は、壁に配管カバーユニット１１〜１５を固定するものであり、第１部分１と、第２部分２と、第３部分３とを有している。第２部分２は、第１部分１の第１端部１ａにおいて第１部分１から折れ曲がっている。第３部分３は、第１部分１の第２端部１ｂにおいて第１部分１から折れ曲がっている。第１部分１は、第２部分２から第３部分３へ向かう長手方向Ｄ１に交差する短手方向Ｄ２に沿って第１部分１を分割するための分割部ＳＰ１、ＳＰ２を有している。【選択図】図３
2020118397.tif 000002
【特許請求の範囲】
【請求項１】
壁に部材を固定する壁固定金具であって、
互いに対向する第１端部および第２端部を有する第１部分と、
前記第１部分の前記第１端部において前記第１部分から折れ曲がった第２部分と、
前記第１部分の前記第２端部において前記第１部分から折れ曲がった第３部分と、を備え、
前記第１部分は、前記第２部分から前記第３部分へ向かう第１方向に交差する第２方向に沿って前記第１部分を分割するための分割部を有している、壁固定金具。
【請求項２】
前記第１部分は第１ねじ穴を有し、前記第２部分は第２ねじ穴を有している、請求項１に記載の壁固定金具。
【請求項３】
前記第１部分は第１貫通孔を有し、前記第２部分は第２貫通孔を有し、
前記第１部分と前記第２部分との境界から前記第１貫通孔までの第１距離は、前記第１部分と前記第２部分との前記境界から前記第２貫通孔までの第２距離に等しい、請求項２に記載の壁固定金具。
【請求項４】
前記第１部分は、前記第２方向において一方端部である第３端部および前記第３端部の他方端部である第４端部を有し、
前記分割部は、前記第３端部から前記第４端部へ延びる第１スリットを有している、請求項１から３のいずれか１項に記載の壁固定金具。
【請求項５】
前記分割部は、前記第４端部から前記第３端部へ延び、かつ前記第２方向において前記第１スリットと対向する第２スリットを有している、請求項４に記載の壁固定金具。
【請求項６】
前記分割部は、前記第１スリットと前記第２スリットとの間に位置する分割用貫通孔を有している、請求項５に記載の壁固定金具。
【請求項７】
前記分割部は、前記第３端部と前記第４端部との間を延びる分割用溝を有している、請求項４から請求項６のいずれか１項に記載の壁固定金具。
【請求項８】
犠牲陽極の効果を有する物質により被覆された鋼材からなる、請求項１から請求項７のいずれか１項に記載の壁固定金具。
【請求項９】
壁に部材を固定する壁固定金具であって、
第１部分と、
前記第１部分から折れ曲がった第２部分と、を備え、
前記第１部分は第１ねじ穴を有し、前記第２部分は第２ねじ穴を有し、
前記第１部分は、前記第２部分とは反対側に分割凸部を有する、壁固定金具。
【請求項１０】
前記第１部分は第１貫通孔を有し、前記第２部分は第２貫通孔を有し、
前記第１部分と前記第２部分との境界から前記第１貫通孔までの第１距離は、前記第１部分と前記第２部分との前記境界から前記第２貫通孔までの第２距離に等しい、請求項９に記載の壁固定金具。
【請求項１１】
請求項１から請求項１０のいずれか１項に記載の壁固定金具と、
前記壁固定金具によって前記壁に固定された配管カバーと、を備えた、配管カバーユニット。
【請求項１２】
それぞれが前記配管カバーを前記壁に固定する複数の前記壁固定金具を備え、
複数の前記壁固定金具は第１壁固定金具と第２壁固定金具とを含み、
前記第１壁固定金具は、前記第２壁固定金具の上方に配置されている、請求項１１に記載の配管カバーユニット。
【請求項１３】
請求項１１または請求項１２に記載の配管カバーユニットと、
前記配管カバーユニットによって覆われた外部配管と、
前記外部配管に接続された温水装置と、を備えた、温水装置ユニット。
【発明の詳細な説明】
【技術分野】
【０００１】
本発明は、壁固定金具、配管カバーユニットおよび温水装置ユニットに関するものである。
【背景技術】
【０００２】
給湯器の筐体を壁に固定する壁固定金具は、たとえば特開２０１５−１３７７７３号公報（特許文献１参照）、特開昭６２−２２３５６４号公報（特許文献２参照）などに開示されている。これらの壁固定金具は、定尺寸法で位置スライドが可能な構成を有している。
【先行技術文献】
【特許文献】
【０００３】
【特許文献１】特開２０１５−１３７７７３号公報
【特許文献２】特開昭６２−２２３５６４号公報
【発明の概要】
【発明が解決しようとする課題】
【０００４】
近年、壁に固定する給湯器などの機器の設置形態は多様化している。たとえば機器と壁との間に大きな離間距離が必要な現場がある。またコンセント、スリーブなどを避けて機器を設置しなければならない現場もある。
【０００５】
上記特許文献１および２に記載の壁固定金具は定尺寸法であるため、上記のような多様化した設置形態に対応しようとすると、壁固定金具の品種を多くする必要がある。また固定する商品の大きさによってはスライドでの対応が難しい現場もある。このため品種を少なく抑えつつ、多様化した設置形態に対応することは困難であるとの問題がある。
【０００６】
本発明は、上記の課題に鑑みてなされたものであり、その目的は、品種を少なく抑えつつ、多様化した設置形態に対応することが容易な壁固定金具、配管カバーユニットおよび温水装置ユニットを提供することである。
【課題を解決するための手段】
【０００７】
本発明の一の壁固定金具は、壁に部材を固定する壁固定金具であって、第１部分と、第２部分と、第３部分とを備えている。第１部分は、互いに対向する第１端部および第２端部を有する。第２部分は、第１部分の第１端部において第１部分から折れ曲がっている。第３部分は、第１部分の第２端部において第１部分から折れ曲がっている。第１部分は、第２部分から第３部分へ向かう第１方向に交差する第２方向に沿って第１部分を分割するための分割部を有している。
【０００８】
本発明の壁固定金具によれば、第１部分に分割部が設けられているため、現場での施工時に第１部分を容易に分割することができる。第１部分を分割することで、壁固定金具の品種を少なく抑えつつ、多様化した設置形態に対応することが容易となる。
【０００９】
上記一の壁固定金具において、第１部分は第１ねじ穴を有し、第２部分は第２ねじ穴を有している。
【００１０】
これにより設置形態に応じて、部材を取り付けるためのねじ穴として第１ねじ穴および第２ねじ穴のいずれかを選択することができる。このため多様化した設置形態に対応することが容易となる。
【００１１】
上記一の壁固定金具において、第１部分は第１貫通孔を有し、第２部分は第２貫通孔を有している。第１部分と第２部分との境界から第１貫通孔までの第１距離は、第１部分と第２部分との境界から第２貫通孔までの第２距離に等しい。
【００１２】
これにより分割前の壁固定金具を壁に位置決めして第１部分の第１貫通孔の位置を壁にマーキングした後に、壁固定金具を分割し、分割後の壁固定金具の第２貫通孔を上記マーキング位置に合わせることで、分割後の壁固定金具を壁および部材に位置決めすることが容易となる。
【００１３】
また壁とその壁に固定する部材との離間距離を維持しながら、第１部分および第２部分のいずれかに部材を取り付けることができる。このため多様化した設置形態に対応することが容易となる。
【００１４】
上記一の壁固定金具において、第１部分は、第２方向において一方端部である第３端部および第３端部の他方端部である第４端部を有する。分割部は、第３端部から第４端部へ延びる第１スリットを有している。
【００１５】
この第１スリットにより壁固定金具を第１部分において切断することが容易となる。
上記一の壁固定金具において、分割部は、第４端部から第３端部へ延び、かつ第２方向において第１スリットと対向する第２スリットを有している。
【００１６】
この第１スリットおよび第２スリットにより壁固定金具を第１部分においてさらに容易に切断することが可能となる。
【００１７】
上記一の壁固定金具において、分割部は、第１スリットと第２スリットとの間に位置する分割用貫通孔を有している。
【００１８】
この第１スリット、第２スリットおよび分割用貫通孔により壁固定金具を第１部分においてさらに容易に切断することが可能となる。
【００１９】
上記一の壁固定金具において、分割部は、第３端部と第４端部との間を延びる分割用溝を有している。
【００２０】
このように第３端部と第４端部との間を延びる分割用溝が設けられることにより、壁固定金具を第１部分において容易に切断することが可能となる。
【００２１】
上記一の壁固定金具は、犠牲陽極の効果を有する物質により被覆された鋼材からなる。
これにより鋼材を腐食から保護することができるため、優れた耐食性を得ることができる。
【００２２】
本発明の他の壁固定金具は、壁に部材を固定する壁固定金具であって、第１部分と、第２部分とを備えている。第２部分は、第１部分から折れ曲がっている。第１部分は第１ねじ穴を有し、第２部分は第２ねじ穴を有する。第１部分は、第２部分とは反対側に分割凸部を有する。
【００２３】
本発明の他の壁固定金具によれば、設置形態に応じて、部材を取り付けるためのねじ穴として第１ねじ穴および第２ねじ穴のいずれかを選択することができる。このため多様化した設置形態に対応することが容易となる。
【００２４】
上記他の壁固定金具において、第１部分は第１貫通孔を有し、第２部分は第２貫通孔を有している。第１部分と第２部分との境界から前記第１貫通孔までの第１距離は、第１部分と第２部分との境界から第２貫通孔までの第２距離に等しい。
【００２５】
これにより分割前の壁固定金具を壁に位置決めして第１部分の第１貫通孔の位置を壁にマーキングした後に、壁固定金具を分割し、分割後の壁固定金具の第２貫通孔を上記マーキング位置に合わせることで、分割後の壁固定金具を壁および部材に位置決めすることが容易となる。
【００２６】
また壁とその壁に固定する部材との離間距離を維持しながら、第１部分および第２部分のいずれかに部材を取り付けることができる。このため多様化した設置形態に対応することが容易となる。
【００２７】
本発明の配管カバーユニットは、上記いずれかに記載の壁固定金具と、その壁固定金具によって壁に固定された配管カバーとを備えている。
【００２８】
本発明の配管カバーユニットによれば、壁固定金具の品種を少なく抑えつつ、多様化した設置形態に対応して配管カバーを設置することができる。
【００２９】
上記配管カバーユニットは、それぞれが配管カバーを壁に固定する複数の壁固定金具を備えている。複数の壁固定金具は第１壁固定金具と第２壁固定金具とを含む。第１壁固定金具は、第２壁固定金具の上方に配置されている。
【００３０】
このように第１壁固定金具と第２固定金具とが上下に配置される場合においても、壁固定金具の品種を少なく抑えつつ、多様化した設置形態に対応することが容易となる。
【００３１】
本発明の温水装置ユニットは、上記のいずれかに記載の配管カバーユニットと、その配管カバーユニットによって覆われた外部配管と、その外部配管が接続された温水装置とを備えている。
【００３２】
本発明の温水装置ユニットによれば、壁固定金具の品種を少なく抑えつつ、多様化した設置形態に対応して温水装置を設置することができる。
【発明の効果】
【００３３】
以上説明したように本発明によれば、品種を少なく抑えつつ、多様化した設置形態に対応することが容易な壁固定金具および温水装置用配管カバーを実現することができる。
【図面の簡単な説明】
【００３４】
【図１】本発明の一実施の形態における温水装置ユニットの構成を示す斜視図である。
【図２】図１に示す温水装置ユニットにおいて配管カバーユニットの構成を分解して示す部分分解斜視図である。
【図３】図１に示す温水装置ユニットに用いられる壁固定金具の構成を示す斜視図である。
【図４】図３に示す壁固定金具に設けられた分割部の構成を示す正面図（Ａ）、ＩＶＢ−ＩＶＢ線に沿う断面図（Ｂ）およびＩＶＣ−ＩＶＣ線に沿う断面図（Ｃ）である。
【図５】図１に示す温水装置ユニットに用いられる壁固定金具の変形例１の構成を示す斜視図である。
【図６】図１に示す温水装置ユニットに用いられる壁固定金具の変形例２の構成を示す斜視図である。
【図７】本発明の一実施の形態における壁固定金具に設けられた分割部の変形例１の構成を示す正面図（Ａ）、ＶＩＩＢ−ＶＩＩＢ線に沿う断面図（Ｂ）およびＶＩＩＣ−ＶＩＩＣ線に沿う断面図（Ｃ）である。
【図８】本発明の一実施の形態における壁固定金具に設けられた分割部の変形例２の構成を示す正面図（Ａ）、ＶＩＩＩＢ−ＶＩＩＩＢ線に沿う断面図（Ｂ）およびＶＩＩＩＣ−ＶＩＩＩＣ線に沿う断面図（Ｃ）である。
【図９】本発明の一実施の形態における壁固定金具に設けられた分割部の変形例３の構成を示す正面図（Ａ）、ＩＸＢ−ＩＸＢ線に沿う断面図（Ｂ）およびＩＸＣ−ＩＸＣ線に沿う断面図（Ｃ）である。
【図１０】図５に示す壁固定金具を分割した後の構成を示す斜視図である。
【図１１】本発明の一実施の形態における温水装置ユニットに用いられる温水装置の構成を説明するための図である。
【図１２】複数の壁固定金具を有する配管カバーユニットと温水装置を示す正面図である。
【図１３】温水装置ユニットを壁に設置した第１状態を示す側面図である。
【図１４】温水装置ユニットを壁に設置した第２状態を示す側面図である。
【発明を実施するための形態】
【００３５】
以下、本発明の実施の形態について、図に基づいて説明する。
なお、明細書および図面において、同一の構成要素または対応する構成要素には、同一の符号を付し、重複する説明を繰り返さない。また、図面では、説明の便宜上、構成を省略または簡略化している場合もある。また、各実施の形態と各変形例との少なくとも一部は、互いに任意に組み合わされてもよい。
【００３６】
＜温水装置ユニット４０の構成＞
まず一実施の形態における温水装置ユニット４０の構成について図１を用いて説明する。
【００３７】
図１に示されるように、本実施の形態の温水装置ユニット４０は、配管カバーユニット２０（部材）と、温水装置３０とを有している。配管カバーユニット２０および温水装置３０の各々は、たとえば家屋の外壁などに設置されるものである。
【００３８】
温水装置３０は、たとえば給湯装置、暖房装置、温水暖房付きふろ給湯装置、熱源器などである。また温水装置３０は、燃料ガスを燃焼させる方式であってもよく、石油を燃焼させる方式であってもよい。また温水装置３０は、貯湯式であってもよく、また瞬間式であってもよい。
【００３９】
配管カバーユニット２０は、壁固定金具１０と、配管カバー１１〜１５と、温水装置取付金具１６とを有している。配管カバー１１〜１５は、温水装置３０から延びる配管など（図示せず）をカバーし、見栄えなどを良くするためのものである。
【００４０】
壁固定金具１０は、配管カバー１１〜１５を壁に固定するためのものである。また温水装置取付金具１６は、配管カバー１１〜１５を温水装置３０に取り付けるためのものである。
【００４１】
＜配管カバーユニット２０の構成＞
次に本実施の形態における配管カバーユニット２０の構成について図２を用いて説明する。
【００４２】
図２に示されるように、配管カバーユニット２０は、上記のとおり壁固定金具１０と、配管カバー１１〜１５と、温水装置取付金具１６とを有している。配管カバー１１〜１５は、左右１対のサイドカバー１１、１２と、フロントカバー１３と、接合部材１４、１５とを有している。
【００４３】
フロントカバー１３は、配管などの前方を覆うためのものである。左右１対のサイドカバー１１、１２は、配管などの側方を覆うためのものである。フロントカバー１３は、ねじ部材１９ｄ１、１９ｄ２のそれぞれを接合部材１５のねじ穴１５ｂ１、１５ｂ２にねじ込むことにより接合部材１５の前面に取り付けられている。
【００４４】
サイドカバー１１の前方上端部には、貫通孔１１ｄが設けられている。ねじ部材１９ｃ１が貫通孔１１ｄを貫通して接合部材１５のねじ穴１５ｃ１にねじ込まれることにより、サイドカバー１１の前方上端部は接合部材１５の一方端部に取り付けられている。
【００４５】
サイドカバー１２の前方上端部には、貫通孔１２ｄが設けられている。ねじ部材１９ｃ２が貫通孔１２ｄを貫通して接合部材１５のねじ穴１５ｃ２にねじ込まれることにより、サイドカバー１２の前方上端部は接合部材１５の他方端部に取り付けられている。
【００４６】
またサイドカバー１１の前方下端部には、貫通孔１１ｂが設けられている。ねじ部材１９ｂ１が貫通孔１１ｂを貫通して接合部材１４のねじ穴１４ａ１にねじ込まれることにより、サイドカバー１１の前方下端部は接合部材１４の一方端部に取り付けられている。
【００４７】
サイドカバー１２の前方下端部には、貫通孔１２ｂが設けられている。ねじ部材１９ｂ２が貫通孔１２ｂを貫通して接合部材１４のねじ穴１４ａ２にねじ込まれることにより、サイドカバー１２の前方下端部は接合部材１４の他方端部に取り付けられている。
【００４８】
上記のように左右１対のサイドカバー１１、１２、フロントカバー１３および接合部材１４、１５よりなる配管カバー１１〜１５が組み立てられている。
【００４９】
上記の配管カバー１１〜１５は、温水装置取付金具１６および接合部材１５を介在して温水装置３０に取り付けられている。具体的には以下のとおりである。
【００５０】
温水装置取付金具１６は、貫通孔１６ｂを有している。ねじ部材１９ｆが貫通孔１６ｂを貫通して温水装置３０のねじ穴にねじ込まれることにより、温水装置取付金具１６は温水装置３０に取り付けられている。
【００５１】
温水装置取付金具１６の一方端部には突起部１６ｂ１が前方に向かって突き出している。また温水装置取付金具１６の他方端部には突起部１６ｂ２が前方に向かって突き出している。
【００５２】
この突起部１６ｂ１がサイドカバー１１の貫通孔１１ｃに挿入されている。また突起部１６ｂ２がサイドカバー１２の貫通孔１２ｃに挿入されている。これにより配管カバー１１〜１５が温水装置取付金具１６に支持されている。
【００５３】
この状態でねじ部材１９ｅが温水装置３０の貫通孔を貫通して接合部材１５のねじ穴１５ａにねじ込まれている。これにより配管カバー１１〜１５が温水装置３０に取り付けられている。
【００５４】
また上記の配管カバー１１〜１５は、壁固定金具１０を介在して、たとえば家屋の外壁（壁）に固定されている。具体的には以下のとおりである。
【００５５】
家屋の外壁にはアンカー１７が埋め込まれている。ねじ部材１８が、壁固定金具１０の貫通孔５ａを貫通してアンカー１７にねじ込まれている。これにより壁固定金具１０は、壁に固定されている。
【００５６】
サイドカバー１１の後方下端部には、貫通孔１１ａが設けられている。ねじ部材１９ａ１が貫通孔１１ａを貫通して壁固定金具１０のねじ穴４ｂにねじ込まれることにより、サイドカバー１１の後方下端部は壁固定金具１０の一方端部に取り付けられている。
【００５７】
サイドカバー１２の後方下端部には、貫通孔１２ａが設けられている。ねじ部材１９ａ２が貫通孔１２ａを貫通して壁固定金具１０のねじ穴４ｃにねじ込まれることにより、サイドカバー１２の後方下端部は壁固定金具１０の他方端部に取り付けられている。
【００５８】
上記のように配管カバー１１〜１５は、壁に固定されている。
＜壁固定金具１０の構成＞
次に本実施の形態における壁固定金具１０の構成について図３および図４を用いて説明する。
【００５９】
図３に示されるように、壁固定金具１０は、第１部分１と、第２部分２と、第３部分３とを有している。第１部分１は、第１部分１の長手方向（図中矢印Ｄ１方向：第１方向）において互いに対向する第１端部１ａおよび第２端部１ｂを有している。
【００６０】
第１部分１は、本体部１ｍと、曲げ部１ｓａと、曲げ部１ｓｂとを有している。本体部１ｍは平板よりなっている。曲げ部１ｓａおよび曲げ部１ｓｂは、第１部分１の短手方向（図中矢印Ｄ２方向）において互いに対向している。
【００６１】
曲げ部１ｓａは本体部１ｍの短手方向の一方端から折れ曲がっている。また曲げ部１ｓｂは本体部１ｍの短手方向の他方端から折れ曲がっている。曲げ部１ｓａおよび曲げ部１ｓｂの各々は、本体部１ｍから互いに同じ方向に折れ曲がっている。曲げ部１ｓａおよび曲げ部１ｓｂの各々の本体部１ｍに対する折れ曲がりの角度は、たとえば９０°である。
【００６２】
第１部分１の本体部１ｍには、複数のねじ穴４ａ（第１ねじ穴）と、複数の貫通孔５ａとが設けられている。複数のねじ穴４ａの各々は、雌ねじ部を有している。複数の貫通孔５ａの各々は、雌ねじ部を有していない。
【００６３】
第２部分２は、第１部分１の第１端部１ａにおいて第１部分１から折れ曲がっている。第２部分２は、本体部２ｍと、曲げ部２ｓａと、曲げ部２ｓｂとを有している。本体部２ｍは平板よりなっている。曲げ部２ｓａおよび曲げ部２ｓｂは、第２部分２の短手方向（図中矢印Ｄ２方向）において互いに対向している。
【００６４】
曲げ部２ｓａは本体部２ｍの短手方向の一方端から折れ曲がっている。また曲げ部２ｓｂは本体部２ｍの短手方向の他方端から折れ曲がっている。曲げ部２ｓａおよび曲げ部２ｓｂの各々は、本体部２ｍから互いに同じ方向に折れ曲がっている。曲げ部２ｓａおよび曲げ部２ｓｂの各々の本体部２ｍに対する折れ曲がりの角度は、たとえば９０°である。
【００６５】
第２部分２の本体部２ｍには、たとえば１つのねじ穴４ｂ（第２ねじ穴）と、たとえば１つの貫通孔５ｂとが設けられている。ねじ穴４ｂは、雌ねじ部を有している。貫通孔５ｂは、雌ねじ部を有していない。
【００６６】
第３部分３は、第１部分１の第２端部１ｂにおいて第１部分１から折れ曲がっている。第３部分３および第２部分２は、第１部分１から互いに同じ方向に折れ曲がっている。第３部分３および第２部分２の各々の第１部分１に対する折れ曲がりの角度は、たとえば９０°である。
【００６７】
第３部分３は、本体部３ｍと、曲げ部３ｓａと、曲げ部３ｓｂとを有している。本体部３ｍは平板よりなっている。曲げ部３ｓａおよび曲げ部３ｓｂは、第３部分３の短手方向（図中矢印Ｄ２方向）において互いに対向している。
【００６８】
曲げ部３ｓａは本体部３ｍの短手方向の一方端から折れ曲がっている。また曲げ部３ｓｂは本体部３ｍの短手方向の他方端から折れ曲がっている。曲げ部３ｓａおよび曲げ部３ｓｂの各々は、本体部３ｍから互いに同じ方向に折れ曲がっている。曲げ部３ｓａおよび曲げ部３ｓｂの各々の本体部３ｍに対する折れ曲がりの角度は、たとえば９０°である。
【００６９】
第３部分３の本体部３ｍには、たとえば１つのねじ穴４ｃと、たとえば１つの貫通孔５ｃとが設けられている。ねじ穴４ｃは、雌ねじ部を有している。貫通孔５ｃは、雌ねじ部を有していない。
【００７０】
第１部分１は、たとえば２つの分割部ＳＰ１、ＳＰ２を有している。分割部ＳＰ１、ＳＰ２の各々は、第２部分２から第３部分３へ向かう長手方向Ｄ１（第１方向）に交差する（たとえば直交する）短手方向Ｄ２（第２方向）に沿って第１部分１を分割するための部分である。
【００７１】
図４に示されるように、２つの分割部ＳＰ１、ＳＰ２の各々は、第１スリット１ｎａと、第２スリット１ｎｂと、分割用貫通孔１ｈとを有している。第１部分１は、短手方向Ｄ２に一方端部である第３端部１ｃと第３端部１ｃの他方端部である第４端部１ｄとを有している。
【００７２】
第１スリット１ｎａは、第３端部１ｃから第４端部１ｄへ延びている。第１スリット１ｎａは、曲げ部１ｓａおよび本体部１ｍの各々の一部を切り欠いている。
【００７３】
第２スリット１ｎｂは、第４端部１ｄから第３端部１ｃへ延びている。第２スリット１ｎｂは、曲げ部１ｓｂおよび本体部１ｍの各々の一部を切り欠いている。第２スリット１ｎｂは、短手方向Ｄ２において第１スリット１ｎａと対向している。
【００７４】
分割用貫通孔１ｈは、第１スリット１ｎａおよび第２スリット１ｎｂとの間に配置されている。分割用貫通孔１ｈは、本体部１ｍに設けられている。第１スリット１ｎａ、第２スリット１ｎｂおよび分割用貫通孔１ｈの各々の長手方向Ｄ１における幅はたとえば同じ寸法を有している。
【００７５】
図３に示されるように、第１部分１に設けられる複数のねじ穴４ａは、たとえば４つのねじ穴４ａ１〜４ａ４を有している。ねじ穴４ａ１は、第１端部１ａの最も近くに位置している。ねじ穴４ａ２は、そのねじ穴４ａ１の隣に位置している。ねじ穴４ａ３は、第２端部１ｂの最も近くに位置している。ねじ穴４ａ４は、そのねじ穴４ａ３の隣に位置している。
【００７６】
第１部分１に設けられる複数の貫通孔５ａは、たとえば２つの貫通孔５ａ１、５ａ２を有している。貫通孔５ａ１は貫通孔５ａ２よりも第１端部１ａの近くに位置しており、貫通孔５ａ２は貫通孔５ａ１よりも第２端部１ｂの近くに位置している。
【００７７】
分割部ＳＰ１は分割部ＳＰ２よりも第１端部１ａの近くに位置しており、分割部ＳＰ２は分割部ＳＰ１よりも第２端部１ｂの近くに位置している。分割部ＳＰ１と第１端部１ａとの間には、ねじ穴４ａ１、４ａ２および貫通孔５ａ１が配置されている。分割部ＳＰ２と第２端部１ｂとの間には、ねじ穴４ａ３、４ａ４および貫通孔５ａ２が配置されている。
【００７８】
第１部分１と第２部分２との境界（第１端部１ａ）から貫通孔５ａ１までの距離Ｌ１ａ（第１距離）は、第１部分１と第２部分２との境界（第１端部１ａ）から貫通孔５ｂまでの距離Ｌ２（第２距離）に等しくなるように設定されていてもよい。
【００７９】
また第１部分１と第３部分３との境界（第２端部１ｂ）から貫通孔５ａ２までの距離Ｌ１ｂは、第１部分１と第３部分３との境界（第２端部１ｂ）から貫通孔５ｃまでの距離Ｌ３に等しくなるように設定されていてもよい。この距離Ｌ１ｂ、Ｌ３は、距離Ｌ１ａ、Ｌ２と等しくてもよい。
【００８０】
複数のねじ穴４ａ、４ｂ、４ｃの各々は、同じねじ部材と締結可能に構成されている。
壁固定金具１０は、たとえば１枚の金属を折り曲げることにより構成されている。壁固定金具１０は、たとえば犠牲陽極の効果を有する物質により被覆された鋼材からなる。壁固定金具１０は、たとえば亜鉛（Ｚｎ）およびアルミニウム（Ａｌ）を含む合金によりめっきされた鋼材からなっていてもよい。
【００８１】
壁固定金具１０は、溶融亜鉛−アルミニウム−マグネシウム合金によりめっきされた鋼材であるＺＡＭ（登録商標）であってもよく、溶融亜鉛−５％アルミニウム合金にマグネシウムとニッケル（Ｎｉ）を添加した合金によりめっきされた鋼材であるエコガル（登録商標）であってもよく、亜鉛にアルミニウム、マグネシウムおよびシリコンが添加された合金によりめっきされた鋼板であるスーパーダイマ（登録商標）であってもよい。
【００８２】
＜壁固定金具１０の変形例の構成＞
次に、壁固定金具１０の変形例１の構成を図５を用いて説明し、変形例２の構成を図６を用いて説明する。
【００８３】
図５に示されるように、変形例１の壁固定金具１０は、図３に示す構成と比較して、分割部ＳＰ１および貫通孔５ａ１の間と、分割部ＳＰ２および貫通孔５ａ２の間との各々にねじ穴４ａが追加されている点において異なっている。
【００８４】
第１部分１と第２部分２との境界（第１端部１ａ）から貫通孔５ａ１までの距離Ｌ１ａは、第１部分１と第２部分２との境界（第１端部１ａ）から貫通孔５ｂまでの距離Ｌ２に等しくなるように設定されていてもよい。
【００８５】
また第１部分１と第３部分３との境界（第２端部１ｂ）から貫通孔５ａ２までの距離Ｌ１ｂは、第１部分１と第３部分３との境界（第２端部１ｂ）から貫通孔５ｃまでの距離Ｌ３に等しくなるように設定されていてもよい。
【００８６】
本変形例においては、分割部ＳＰ１および貫通孔５ａ１の間と、分割部ＳＰ２および貫通孔５ａ２の間との各々に、２つのねじ穴４ａが追加されているが、１つのねじ穴が追加されてもよく、また３つ以上のねじ穴が追加されてもよい。
【００８７】
なおこれ以外の図５の構成は、図３の構成とほぼ同じであるため、図３の構成と同一の要素については図３の符号と同一の符号を付しその説明を繰り返さない。
【００８８】
また図６に示されるように、変形例２の壁固定金具１０は、図５に示す変形例１の構成と比較して、第１端部１ａおよび貫通孔５ｂの間に複数のねじ穴４ｂ１、４ｂ２が設けられた点と、第２端部１ｂおよび貫通孔５ｃの間に複数のねじ穴４ｃ１、４ｃ２が設けられた点とにおいて異なっている。
【００８９】
本変形例においては、第２部分２および第３部分３の各々に、２つのねじ穴を配置した構成について説明したが、３つ以上のねじ穴が配置されてもよい。
【００９０】
なおこれ以外の図６の変形例２の構成は、図５の変形例１の構成とほぼ同じであるため、図５の構成と同一の要素については図５の符号と同一の符号を付しその説明を繰り返さない。
【００９１】
＜分割部ＳＰ１、ＳＰ２の変形例の構成＞
次に、分割部ＳＰ１、ＳＰ２の変形例１〜３の構成を図７〜９を用いて説明する。
【００９２】
図７に示されるように、分割部ＳＰ１、ＳＰ２の変形例１の構成は、図４に示す構成と比較して、分割用溝１ｇが追加されている点において異なっている。分割用溝１ｇは、第１スリット１ｎａから分割用貫通孔１ｈまで延びるように、また第２スリット１ｎｂから分割用貫通孔１ｈまで延びるように本体部１ｍに設けられている。分割用溝１ｇが設けられた本体部１ｍの部分は、分割用溝１ｇが設けられていない本体部１ｍの部分よりも厚みが薄くなっている。
【００９３】
図８に示されるように、変形例２における分割部ＳＰ１、ＳＰ２は、第１スリット１ｎａと、分割用溝１ｇと、切欠き部１ｓｂ１とを有している。切欠き部１ｓｂ１は、曲げ部１ｓｂを選択的に除去した部分である。
【００９４】
第１スリット１ｎａは、第３端部１ｃから第４端部１ｄへ延びている。第１スリット１ｎａは、曲げ部１ｓａおよび本体部１ｍの各々の一部を切り欠いている。第１スリット１ｎａは、短手方向Ｄ２において切欠き部１ｓｂ１と対向している。
【００９５】
分割用溝１ｇは、切欠き部１ｓｂ１が設けられた部分において、本体部１ｍの第４端部１ｄから第１スリット１ｎａまで延びるように本体部１ｍに設けられている。分割用溝１ｇが設けられた本体部１ｍの部分は、分割用溝１ｇが設けられていない本体部１ｍの部分よりも厚みが薄くなっている。
【００９６】
図９に示されるように、変形例３の構成は、図４に示す構成と比較して分割用貫通孔が省略されて、分割用溝１ｇが第１スリット１ｎａから第２スリット１ｎｂまで延びている点において異なっている。
【００９７】
なお上記以外の図７の変形例１、図８の変形例２および図９の変形例３の各々の構成は、図４の構成とほぼ同じであるため、図４の構成と同一の要素については図４の符号と同一の符号を付しその説明を繰り返さない。
【００９８】
＜壁固定金具１０の分割後の構成＞
次に、上記の壁固定金具１０を分割部ＳＰ１、ＳＰ２にて分割した後の構成について図１０を用いて説明する。なお以下においては図５に示す変形例１の壁固定金具１０を分割部ＳＰ１にて分割した場合を例に挙げて説明する。
【００９９】
図１０に示されるように、分割後の壁固定金具１０Ｓは、分割された第１部分１と、その第１部分１から折れ曲がった第２部分２とを有している。分割後の第１部分１は、貫通孔５ａ１（第１壁固定用貫通孔）と、複数のねじ穴４ａとを有している。複数のねじ穴４ａは、上記のねじ穴４ａ１、４ａ２を含む。また第２部分２は、貫通孔５ｂ（第２壁固定用貫通孔）と、ねじ穴４ｂとを有している。
【０１００】
分割後の第１部分１は、第２部分２とは反対側に破断された分割部ＳＰ１１を有している。この破断された分割部ＳＰ１１は、第１スリット１ｎａにより生じた第１凹部１ｎａ１と、第２スリット１ｎｂにより生じた第２凹部１ｎｂ１と、分割用貫通孔１ｈにより生じた凹部１ｈ１とを有している。また破断された分割部ＳＰ１１は、上記凹部１ｎａ１、１ｎｂ１、１ｈ１に対して第１部分１の長手方向に相対的に突き出した、たとえば２つの分割凸部ＳＰＰを有している。
【０１０１】
２つの分割凸部ＳＰＰのうち第１分割凸部ＳＰＰは、凹部１ｎａ１と凹部１ｈ１との間に位置している。また２つの分割凸部ＳＰＰのうち第２分割凸部ＳＰＰは、凹部１ｎｂ１と凹部１ｈ１との間に位置している。
【０１０２】
また図５に示す分割前の壁固定金具１０と同様、分割後の壁固定金具１０においても、第１部分１と第２部分２との境界（第１端部１ａ）からねじ穴４ａ１までの距離Ｌ１ａ（第１距離）は、第１部分１と第２部分２との境界（第１端部１ａ）からねじ穴４ｂまでの距離Ｌ２（第２距離）に等しくなるように設定されていてもよい。
【０１０３】
なお上記においては図５に示す変形例１の壁固定金具１０について説明したが、図３または図６に示す壁固定金具１０を分割した場合にも、その分割後の壁固定金具１０は上記と同様の構成の破断された分割部ＳＰ１１を有する。また上記においては図５に示す変形例１にて分割部ＳＰ１にて分割した構成について説明したが、分割部ＳＰ２にて分割した第１部分１と第３部分とからなる部分も上記と同様の構成を有する。
【０１０４】
＜温水装置３０の構成＞
次に、上記実施の形態における温水装置ユニット４０に含まれる温水装置３０の構成について図１１を用いて説明する。
【０１０５】
図１１に示されるように、温水装置３０は、給水配管３５と、出湯配管３６と、バイパス配管３７と、熱交換器３３、３４と、燃焼部３２と、送風機３１と、コントローラ３８とを主に有している。
【０１０６】
給水配管３５と出湯配管３６との間には、熱交換器３３、３４が接続されている。熱交換器３３、３４は、一次熱交換器３３と、二次熱交換器３４とを有している。一次熱交換器３３は、顕熱回収型の熱交換器である。また二次熱交換器３４は、潜熱回収型の熱交換器である。
【０１０７】
二次熱交換器３４および一次熱交換器３３の下側には、燃焼部３２が配置されている。燃焼部３２における燃焼に必要な空気は、送風機３１により供給される。一次熱交換器３３は、二次熱交換器３４よりも燃焼部３２の近くに位置している。具体的には、二次熱交換器３４と燃焼部３２との間に一次熱交換器３３が配置されている。
【０１０８】
給水配管３５は二次熱交換器３４の一方端部に接続されている。二次熱交換器３４の他方端部と一次熱交換器３３の一方端部とは互いに接続されている。一次熱交換器３３の他方端部には、出湯配管３６が接続されている。給水配管３５と出湯配管３６とはバイパス配管３７により接続されている。
【０１０９】
給水配管３５は、水を供給するための配管である。給水配管３５から二次熱交換器３４に供給された水は、燃焼部３２にて生じた燃焼ガスの潜熱を回収することにより予熱される。
【０１１０】
二次熱交換器３４にて予熱された湯は、一次熱交換器３３に供給される。一次熱交換器３３に供給された湯は、燃焼部３２にて生じた燃焼ガスの顕熱を回収することにより加熱される。一次熱交換器３３にて加熱された湯は、出湯配管３６を通じて温水装置３０の外部へ供給される。
【０１１１】
また給水配管３５からバイパス配管３７を通じて水が出湯配管３６に供給されるようコントローラ３８により制御される。これにより出湯配管３６内の湯の温度が調整される。所望の温度に調整された湯が出湯配管３６から温水装置３０の外部へ供給される。
【０１１２】
外部配管３５ａは、上記の給水配管３５に接続されて温水装置３０から延びている。外部配管３６ａは、出湯配管３６に接続されて温水装置３０から延びている。配管カバーユニット２０は、外部配管３５ａ、３６ａを覆っている。
【０１１３】
また図には示されていないが、温水装置３０には、燃料ガスを供給するための外部配管も接続されている。この燃料ガス供給用の外部配管も配管カバーユニット２０により覆われていてもよい。
【０１１４】
またコントローラ３８には、電気を供給するためのコンセントプラグ３８ａが電気的に接続されている。このコンセントプラグ３８ａも、配管カバーユニット２０内に配置されていてもよい。
【０１１５】
＜その他＞
図１２に示されるように、配管カバーユニット２０は、複数の壁固定金具１０Ｆ、１０Ｓにより壁に固定されていてもよい。複数の壁固定金具１０Ｆ、１０Ｓは、たとえば配管カバーユニット２０の下端部を壁に固定する壁固定金具１０Ｆと、配管カバーユニット２０の中央部を壁に固定する壁固定金具１０Ｓとを有している。
【０１１６】
壁固定金具１０Ｓは、壁固定金具１０Ｆよりも上方に位置しており、壁固定金具１０Ｆと並走するように配置されている。
【０１１７】
これにより配管カバーユニット２０が上下方向の寸法が大きくなった場合でも、配管カバーユニット２０は複数の壁固定金具１０Ｆ、１０Ｓにより壁に強固に固定することが可能となる。
【０１１８】
また上記貫通孔５ａ、５ａ１、５ａ２、５ｂ、５ｃの各々は、短手方向Ｄ２に長い長孔形状を有している。これらの貫通孔５ａ、５ａ１、５ａ２、５ｂ、５ｃの各々は、雌ねじ部を有していないが、図２に示されるねじ部材１８でタッピングされることにより雌ねじ部を形成されてもよい。
【０１１９】
＜作用効果＞
次に、本実施の形態の作用効果について説明する。
【０１２０】
図１１に示されるように、温水装置３０を設置する現場において、壁固定金具１０に重複する領域ＲＡに、配管のスリーブ、コンセントなどの障害物が存在する場合がある。このような場合、壁固定金具１０をグラインダーなどの機械工具を用いて切断する必要がある。
【０１２１】
これに対して本実施の形態の壁固定金具１０によれば、図３に示されるように、第１部分１に分割部ＳＰ１、ＳＰ２が設けられているため、現場での施工時に第１部分１を機械工具などを用いずに手で容易に分割することができる。このように第１部分１を手で容易に分割することができるため、壁固定金具１０の品種を少なく抑えつつ、多様化した設置形態に対応することが容易となる。
【０１２２】
また図１３に示されるように、温水装置３０が取り付けられる壁の部分に対して、配管カバーユニット２０が取り付けられる壁の部分が窪んだ現場もある。また図１４に示されるように、壁に水切り板５０が取り付けられている現場もある。
【０１２３】
このような現場では、配管カバーユニット２０と壁との間の距離Ｄ１、Ｄ２が、当初の想定した距離とは異なる。このため単一の種類の壁固定金具１０だけでは、この距離Ｄ１、Ｄ２の相違に対応することが難しい。
【０１２４】
これに対して本実施の形態の壁固定金具１０によれば、図５に示されるように、第１部分１はねじ穴４ａを有し、第２部分２はねじ穴４ｂを有している。これにより設置形態に応じて、配管カバーユニット２０を取り付けるためのねじ穴としてねじ穴４ａおよびねじ穴４ｂのいずれかを選択することができる。このため多様化した設置形態に対応することが容易となる。
【０１２５】
具体的には図１０に示されるように、第１部分１を壁に固定して第２部分２に配管カバーユニット２０を支持させる場合と、第２部分２を壁に固定して第１部分１に配管カバーユニット２０を支持させる場合とで、分割後の壁固定金具１０Ｓを使い分けることができる。
【０１２６】
上記のように第２部分２を壁に固定する場合には第１部分１のねじ穴４ａ１、４ａ２とそれ以外のねじ穴４ａとから選ばれた１つのねじ穴に配管カバーユニット２０を支持させることができる。これにより配管カバーユニット２０と壁との間の距離が当初の想定した距離とは異なる場合でも、この距離の相違に対応することが容易となる。
【０１２７】
また本実施の形態によれば、図１０に示されるように、第１部分１と第２部分２との境界（第１端部１ａ）から貫通孔５ａ１までの距離Ｌ１ａは、第１部分１と第２部分２との境界（第１端部１ａ）から貫通孔５ｂまでの距離Ｌ２に等しくなるように設定されている。これにより分割前の壁固定金具１０を壁に位置決めして第１部分１の貫通孔５ａ１の位置を壁にマーキングした後に、壁固定金具１０を分割し、分割後の壁固定金具１０Ｓの貫通孔５ｂを上記マーキング位置に合わせることで、分割後の壁固定金具１０Ｓを壁に位置決めすることが容易となる。
【０１２８】
また壁と配管カバーユニット２０との離間距離を維持しながら、第１部分１および第２部分２のいずれかに配管カバーユニット２０を取り付けることができる。このため多様化した設置形態に対応することが容易となる。また図１２に示されるように、温水装置３０の側面と配管カバーユニット２０の側面とを面一に設置することが容易となる。
【０１２９】
また本実施の形態によれば、図４、図７〜図９に示されるように、分割部ＳＰ１、ＳＰ２の各々は、第１部分１の第３端部１ｃから第４端部１ｄへ延びる第１スリット１ｎａを有している。この第１スリット１ｎａにより壁固定金具１０は第１部分１において手で容易に切断可能となる。
【０１３０】
また本実施の形態によれば、図４、図７および図９に示されるように、分割部ＳＰ１、ＳＰ２の各々は、第４端部１ｄから第３端部１ｃへ延び、かつ短手方向Ｄ２において第１スリット１ｎａと対向する第２スリット１ｎｂを有している。この第１スリット１ｎａおよび第２スリット１ｎｂにより壁固定金具１０は第１部分１においてさらに容易に切断可能となる。
【０１３１】
また本実施の形態によれば、図４および図７に示されるように、分割部ＳＰ１、ＳＰ２の各々は、第１スリット１ｎａと第２スリット１ｎｂとの間に位置する分割用貫通孔１ｈを有している。この第１スリット１ｎａ、第２スリット１ｎｂおよび分割用貫通孔１ｈにより壁固定金具１０は第１部分１においてさらに容易に切断可能となる。
【０１３２】
また本実施の形態によれば、図７〜図９に示されるように、分割部ＳＰ１、ＳＰ２の各々は、第３端部１ｃと第４端部１ｄとの間を延びる分割用溝１ｇを有している。このように第３端部１ｃと第４端部１ｄとの間を延びる分割用溝１ｇが設けられることにより壁固定金具１０は第１部分１において容易に切断可能となる。
【０１３３】
また本実施の形態によれば、壁固定金具１０は、犠牲陽極の効果を有する物質により被覆された鋼材からなる。これにより鋼材を腐食から保護することができるため、優れた耐食性を得ることができる。
【０１３４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１３５】
１  第１部分、１ａ  第１端部、１ｂ  第２端部、１ｃ  第３端部、１ｄ  第４端部、１ｇ  分割用溝、１ｈ  分割用貫通孔、１ｈ１，１ｎａ１，１ｎｂ１  凹部、１ｍ，２ｍ，３ｍ  本体部、１ｎａ  第１スリット、１ｎａ１  第１凹部、１ｎｂ  第２スリット、１ｎｂ１  第２凹部、１ｓａ，１ｓｂ，１ｓｂ１，２ｓａ，２ｓｂ，３ｓａ，３ｓｂ  曲げ部、２  第２部分、３  第３部分、４ａ，４ａ１，４ａ２，４ａ３，４ａ４，４ｂ，４ｂ１，４ｂ２，４ｃ，４ｃ１，４ｃ２，１４ａ１，１４ａ２，１５ａ，１５ｂ１，１５ｃ１，１５ｃ２  ねじ穴、５ａ，５ａ１，５ａ２，５ｂ，５ｃ，１１ａ，１１ｂ，１１ｃ，１１ｄ，１２ａ，１２ｂ，１２ｃ，１２ｄ  貫通孔、１０，１０Ｆ，１０Ｓ  壁固定金具、１１，１２  サイドカバー、１３  フロントカバー、１４，１５  接合部材、１６  温水装置取付金具、１６ｂ１，１６ｂ２  突起部、１７  アンカー、１８，１９ａ１，１９ａ２，１９ｂ１，１９ｂ２，１９ｃ１，１９ｃ２，１９ｄ１，１９ｄ２，１９ｅ，１９ｆ  ねじ部材、２０  配管カバーユニット、３０  温水装置、３１  送風機、３２  燃焼部、３３  一次熱交換器、３４  二次熱交換器、３５  給水配管、３５ａ，３６ａ  外部配管、３６  出湯配管、３７  バイパス配管、３８  コントローラ、３８ａ  コンセントプラグ、４０  温水装置ユニット、５０  水切り板、ＳＰ１，ＳＰ２，ＳＰ１１  分割部、ＳＰＰ  分割凸部。
【図１】
2020118397.tif 000003
【図２】
2020118397.tif 000004
【図３】
2020118397.tif 000005
【図４】
2020118397.tif 000006
【図５】
2020118397.tif 000007
【図６】
2020118397.tif 000008
【図７】
2020118397.tif 000009
【図８】
2020118397.tif 000010
【図９】
2020118397.tif 000011
【図１０】
2020118397.tif 000012
【図１１】
2020118397.tif 000013
【図１２】
2020118397.tif 000014
【図１３】
2020118397.tif 000015
【図１４】
2020118397.tif 000016